(57)【要約】  【課題】  使用者ターミナルに資料をよりスムースに、より迅速に、より空間を節約できる方式で伝送し、ディスパッチ・サーバーとターミナルシステム管理者が、後方のマネジメント・プラテンから管理できるシステムを提供する。  【解決手段】  メイン・サーバーは、各種の発送される広告のファイルや使用者の情報を記録して検索に備えるデータ・バンクと、データ・バンクの内の新しい情報を使用者のターミナルに発送するディスパッチ・サーバーと、ディスパッチ・サーバーからの情報を放送広告する時間を手配し、指定された使用者のターミナルに送信するメディア・サーバーとを含む。使用者のターミナルはさらに、メディア・サーバーから送信された広告内容を液晶表示機に表示するディスプレイ・ユニットと、ターミナルのソフトやハード設備を管理しかつターミナル内に設定されたデータやサーバ−からの指令を執行するメディア・プレゼンターとを含む。【選択図】    図１
2007027965.tif 000002
【特許請求の範囲】
【請求項１】
インターネットから複数の使用者のターミナルと１つのメイン・サーバー（main server）の間を結ぶインターリンクド（interlinked）放送ディスパッチ・システム（dispatch system）において、
前記メイン・サーバーは各種の発送される広告のファイルや、使用者の情報を記録して検索に供するデータ・バンクと、
前記データ・バンク内にファイルされている新しい情報を使用者のターミナルに発送するディスパッチ・サーバー（dispatch server）と、
前記ディスパッチ・サーバーから送られてきた情報を放送広告する時間を手配し、その広告のファイルを指定された使用者のターミナルに送信するメディア・サーバー（media server）とを含み、
前記使用者のターミナルはさらに、前記メディア・サーバーから送信された広告ファイルの内容を表示盤に表示するディスプレイ・ユニットと、使用者のターミナルに常設され、このターミナルのソフトやハード設備を管理し、かつ前記ターミナル内に設定されたデータや前期メイン・サーバーから送信されてきた指令を執行するメディア・プレゼンター（media presenter）を含む
ことを特徴とする、インターリンクド放送ディスパッチ・システム。
【請求項２】
前記ファイルにはビデオ・シグナル・ファイル（video signal file）と、音声シグナル・ファイルと、図像ファイルと、文字ファイルとシステム・コマンド・ファイル、または特定の広告ファイルが含まれることを特徴とする請求項１に記載のインターリンクド放送ディスパッチ・システム。
【請求項３】
前記メディア・サーバーは、前記システムに連結されている１つのファイルを同時に任意の使用者ターミナルに送信可能であることを特徴とする請求項１に記載のインターリンクド放送ディスパッチ・システム。
【発明の詳細な説明】
【技術分野】
【０００１】
本発明はサーバーでシステムに連結されている任意の使用者ターミナルに影像や音声を発送するインターリンクされた（interlinked）放送ディスパッチ・システム（dispatch system）に関するものである。
【背景技術】
【０００２】
インターネットの誕生は広報メディアの限界に大きな変革をもたらし、インターネット上に広告が出現した。初期のインターネット上の広告はインターコネクションの速度の制限上、サイズの小さな広告形式、例えば文字、画像、或いはごく簡単な動画などで表現されてきた。
【０００３】
ブロートバンド・インターネットの誕生とＡＤＳＬの迅速な普及は、マス・メディアのインターリンク技術の成長に甚大な貢献をした。インターリンクは即時性のマス・メディアの伝送技術であり、使用者はただ、ごく小さな部分の資料をインターセプトすれば、すぐ放送でき、インターセプトに要する時間を大幅に節約できる。
【０００４】
然るにこのマス・メディアのインターリンク技術にはなお、その流通度の円滑性（smoothness）に改善の余地がある。インターネット固有の特性上、その伝播遅延時間に長短がある。これを改善して、マス・メディアの資料の伝播を一定した速度に保持しなければ、画面の遅延や不連続の問題が起こるのである。
【発明の開示】
【発明が解決しようとする課題】
【０００５】
本発明は上記の問題を解決せんがためなされたもので、先行の６つの特許（ＰＣＴ／ＵＳ００／２５０５９、ＰＣＴ／ＵＳ００／２５８９９、ＰＣＴ／ＵＳ００／２６０８４、ＰＣＴ／ＵＳ００／２７６３４、ＰＣＴ／ＵＳ００／３３０１５、ＰＣＴ／ＵＳ００／３３０１３）技術の精髄を結合した苦心の作である。単一、或いは複数の使用者ターミナルに資料をよりスムースに、より迅速に、より空間を節約できるような方式で伝送し、ディスパッチ・サーバーとターミナルはシステム管理者が、後方のマネジメント・プラテン（management platen）から管理できるようにインターリンクされた、放送ディスパッチ・システムの提供にある。
【課題を解決するための手段】
【０００６】
上記の課題を解決するため、本発明は、インターネットから複数の使用者のターミナルと１つのメイン・サーバー（main server）の間を結ぶインターリンクされた放送ディスパッチ・システムにおいて、メイン・サーバーは各種の発送される広告のファイルや、使用者の情報を記録して検索に備えるデータ・バンク内にファイルされている新しい情報を使用者にターミナルに発送するディスパッチ・サーバー（dispatch server）と、ディスパッチ・サーバーから送られてきた情報を放送広告する時間を手配し、その広告のファイルを指定されて使用者のターミナルに送信するメディア・サーバー（media server）とを含み、使用者のターミナルはさらに、メディア・サーバーから送信された広告ファイルの内容を表示盤に表示するディスプレイ・ユニットと、使用者のターミナルに常設され、このターミナルのソフトやハード設備を管理し、かつターミナル内に設定されたデータやメイン・サーバーから送信されてきた指令を執行するメディア・プレゼンター（media presenter）を含んだインターリンクされた放送ディスパッチ・システムを提供する。
【発明の効果】
【０００７】
単一、或いは複数の使用者ターミナルに資料をよりスムースに、より迅速に、より空間を節約できるような方式で伝送することができ、マス・メディアの伝送を円滑にすることができるという利点がある。
【発明を実施するための最良の形態】
【０００８】
本考案の特徴、利点や運用に関しては、明細書に添付した図面を参考にして、以下説明する実施例の内容をご覧になっていただきたい。
【０００９】
図１は本発明のシステムのブロック図である。
【００１０】
メイン・サーバー１側で、システム管理人は、この系統を制御する。ディスパッチ・サーバー３は定期的にデータ・バンク２の中から、メイン・サーバー１がデータ・バンク２にストアしたファイルに何か発送すべき新しい情報の有無を検索する。
【００１１】
一旦メディア・サーバー３が発送すべき新しいファイルの情報を検出した場合、直ちに指令をメディア・サーバー４に送信し、メディア・サーバー４はこの情報をインターネット５を経由して、指定されたメディア・プレゼンター６に発送し、メディア・プレゼンター６はこの情報の内容を使用者のターミナル６に表示する。
【００１２】
メディア・プレゼンター６は使用者のターミナル６１に常設されていて、ターミナル６１の凡ゆる動きを管理する。メディア・プレゼンター６が使用者のターミナル６１に設置された後ターミナル６１に電源を接続すれば、メディア・プレゼンター６は直ちに作動し、ターミナル６１に備えられたソフトやハードの設備を管理し、かつターミナル６１内に設定されたデータやメイン・サーバー１から送信されてきた指令に基づいて動作するのである。メディア・プレゼンター６にはターミナル・レシーブ・エージェント（terminal receive agent; RA）というプログラムを備えていて、ディスパッチ・サーバー３からきた情報を受信し、その指令に従って情報をディスパッチ・サーバー３に返送する。
【００１３】
図２は情報のファイルを使用者のターミナルに送信するフロー・チャートである。
【００１４】
システムの管理者により、新しい情報のファイルはデータ・バンク２に送られストアされる（２１）。ディスパッチ・サーバー３は定期的にデータ・バンク２を検索し、新しい情報が入っていないか確かめる（２２）。もし、データ・バンク２に新しい情報が入っていなければ、ディスパッチ・サーバー３はデータ・バンク２の検索を続け、発送すべき新しい情報を見つけ次第、直ちにメディア・サーバー４に送信して、この情報を指定された使用者のターミナルに発送する（２３）。
【００１５】
この後、情報の発送が成功したかを判断する（２４）。発送に成功した場合システムの動作は終了する（１００）。もし、失敗の場合は上記の動作は翌日まで繰り返される。それでもだめなら動作は自動的に結束する。
【００１６】
図３は手動による、使用者ターミナルのファイルを削除するフロー・チャートである。
【００１７】
システムの管理者はメイン・サーバー１から手動操作で或る１つのファイルを削除する（３１）。そして、ファイル削除の指令をデータ・バンク２に書き込む（３２）。
【００１８】
ディスパッチ・サーバー３は定期的にデータ・バンク２に発送すべきファイル削除指令の有無を検索する（３３）。もし、データ・バンク２の中にファイル削除の指令が見当たらない場合、ディスパッチ・サーバー３はデータ・バンク２の検索を続ける。発送すべきファイル削除の指令があり次第、直ちにこの指令をメディア・サーバー４に送信し、この指令はメディア・サーバー４から指定された使用者のターミナルに発送される（３４）。
【００１９】
この後、前記指令の発送に成功したか、どうかを判断する（３５）。もし、成功ならば直ちにシステムの動作を終了する（１００）。もし、失敗の場合は上記の動作は翌日まで繰り返される。それでもだめなら動作は自動的に結束する（１００）。
【００２０】
図４は自動操作による、使用者ターミナルのファイルを削除するフロー・チャートである。
【００２１】
システムの管理者はメイン・サーバー１から、ファイル削除の日付を設定し（４１）、このファイル削除の指令をデータ・バンク２に書き込む（４２）。
【００２２】
ディスパッチ・サーバー３は定期的にデータ・バンク２に発送すべきファイル削除指令の有無を検索する（４３）。もし、データ・バンク２の中にファイル削除の指令が見当たらない場合、ディスパッチ・サーバー３はデータ・バンク２の検索を続ける。発送すべきファイル削除の指令があり次第、直ちにこの指令をメディア・サーバー４に送信し、この指令はメディア・サーバー４から指定された使用者のターミナルに発送される（４４）。
【００２３】
この後、前記指令の発送に成功したか、どうかを判断する（４５）。もし、成功ならば直ちにシステムの動作を終了する（１００）。もし、失敗の場合は上記の動作は翌日まで繰り返される。それでもだめなら動作は自動的に結束する（１００）。
【００２４】
図５は隔日に放送される広告のファイルを作成し、これを発送するフロー・チャートである。
【００２５】
システムの管理者はメイン・サーバー１から毎日、隔日に放送される広告の内容を設定し（５１）、これを指令としてデータ・バンク２に書き入れる（５２）。
【００２６】
ディスパッチ・サーバー３は定期的にデータ・バンク２に発送すべき新しい放送する広告内容の有無を検索する（５３）。もし、データ・バンク２にこのような広告内容を発送する指令が見当たらない場合、ディスパッチ・サーバー３はデータ・バンク２の検索を続ける。新しく放送する広告内容の発送指令があり次第、直ちに隔日にこの広告内容を放送すべき指令をメディア・サーバー４に送信し、メディア・サーバー４はこの指令を指定された使用者のターミナルに発送する（５４）。
【００２７】
この後、前記指令の発送に成功したか、どうかを判断する（５５）。もし、成功ならば直ちにシステムの動作を終了する（１００）。もし、失敗の場合は上記の動作は翌日まで繰り返される。それでもだめなら動作は自動的に結束する（１００）。
【００２８】
図６は放送用広告内容のファイルを更新するフロー・チャートである。
【００２９】
システムの管理者はメイン・サーバー１から放送用広告内容の順序を更新する（６１）。そして、放送用広告内容の異動の有無を判断する（６２）。もし、異動がなかったら直ちにシステムの動作を終了する（１００）。もし、移動のあった場合は直ちにこの更新された放送用広告の内容をデータ・バンク２に書き込んでファイルとする（６３）。
【００３０】
ディスパッチ・サーバー３は定期的にデータ・バンク２に更新して発送すべき放送用広告内容のファイルの有無を検索する（６４）。もし、データ・バンク２にこのようなファイルを発送する指令が見当たらない場合、ディスパッチ・サーバー３はデータ・バンク２の検索を続ける。放送用広告内容を更新して発送すべき指令があり次第、直ちにこの指令をメディア・サーバー４に送信し、更新して発送すべき放送用広告内容は指令された使用者のターミナルに直ちに発送される（６５）。
【００３１】
この後、前記指令の発送に成功したか、どうかを判断する（６６）。もし、成功ならば直ちにシステムの動作を終了する（１００）。もし、失敗の場合は上記の動作は翌日まで繰り返される。それでもだめなら動作は自動的に結束する（１００）。
【００３２】
図７はメディア・プレゼンターが受け取った広告を放送するフロー・チャートである。
【００３３】
使用者のターミナルが起動した際（７１１）、ターミナル８１は先ず、メディア・プレゼンター６のファイルの構成を確認する（７１２）。ターミナルはサーバー３と同期に動作し（７１３）、この後ターミナルの組織形態を受け入れ（７１４）、さらにターミナル・レシーブ・エージェントを起動する（７１５）。
【００３４】
ターミナル・レシーブ・エージェントを起動した後（７１５）、ターミナル・レシーブ・エージェントは放送用広告内容の有無を判断しながら（７２７）、ディスパッチ・サーバー３と連結する（７１６）。
【００３５】
ターミナル・レシーブ・エージェントとディスパッチ・サーバー３とが連結（７１６）した後、ターミナルのコードはディスパッチ・サーバー３に送信され（７１７）、ターミナル・レシーブ・エージェントは有効なターミナル・コードがサーバー３にストアされているか、どうかを判断する（７１８）。もし、有効なターミナル・コードがサーバー３にない場合、さらに１つのターミナル・コードをサーバー３に送信する（７１７）。もし、有効なターミナル・コードがサーバー３にある場合（７１８）、ターミナルは広告ファイルをストアする（７１９）。
【００３６】
ターミナルが広告ファイルを受信し、これをストア（７１９）した後、ターミナル・レシーブ・エージェントは広告ファイルの削除指令の受信の有無を判断（７２０）し、指令があった場合は広告ファイルを削除し（７２１）、ない場合は受信した広告ファイルはターミナルにストアされる（７２２）。
【００３７】
その後、ターミナル・レシーブ・エージェントを作動して、放送された広告の統計記録を上方に送信する必要の有無を判断する（７２３）。もし、その必要がない場合、上記の動作は繰り返される。もし必要がある場合、ターミナル・レシーブ・エージェントはディスパッチ・サーバー３に前記の統計記録を送信する（７２４）。この後、前記統計記録の送信に成功したか、どうかを判断する（７２５）。もし、送信に失敗した場合、さらに（７２４）の動作を繰り返す。もし、送信に成功した場合は直ちに、広告の統計記録を削除する（７２６）。
【００３８】
ターミナル・レシーブ・エージェントは使用者のターミナル６１に、有効な放送用広告内容の存在の有無を検索する（７２７）。もしない場合は、前記検索の動作を有効な放送用広告内容を受信するまで繰り返す。もし有効な放送用広告内容が使用者のターミナル６１にあったら、ターミナル・レシーブ・エージェントは直ちに広告の放送を開始すべきか、否かを判断する（７２８）。もしまだの場合は前記の動作を放送すべき広告があるまで繰り返す。広告の放送を始める際、液晶表示機（LCD）は自動的に始動し（７２９）、広告を表示する（７３０）。その後、ターミナルは広告の放送記録を作成し（７３１）、その後、広告の放送を結束すべきか、どうかを判断する（７３２）。もし、まだ広告の放送を結束すべきでない場合は、放送を続け（７３０）、放送を結束すべきである場合は液晶表示機をクローズし（７３３）、放送すみの広告の内容を統計して記録する（７３４）。
【産業上の利用可能性】
【００３９】
インターネットから複数の使用者のターミナルと１つのメイン・サーバーの間を結ぶインターリンクされた放送ディスパッチ・システムにおいて利用できる。
【図面の簡単な説明】
【００４０】
【図１】本発明のシステムのブロック図である。
【図２】情報のファイルを使用者のターミナルに送信するフロー・チャートである。
【図３】手動による、使用者ターミナルのファイルを削除するフロー・チャートである。
【図４】自動操作による、使用者ターミナルのファイルを削除するフロー・チャ−トである。
【図５】隔日に放送される広告のファイルを作成し、これを発送するフロー・チャートである。
【図６】放送用広告内容のファイルを更新するフロー・チャートである。
【図７】メディア・プレゼンターが、受取った広告を放送するフロー・チャートである。
【符号の説明】
【００４１】
１    メイン・サーバー
２    データ・バンク
３    ディスパッチ・サーバー
４    メディア・サーバー
５    インターネット
６    メディア・プレゼンター
６１    使用者ターミナル
【図１】
2007027965.tif 000003
【図２】
2007027965.tif 000004
【図３】
2007027965.tif 000005
【図４】
2007027965.tif 000006
【図５】
2007027965.tif 000007
【図６】
2007027965.tif 000008
【図７】
2007027965.tif 000009